(57)【要約】【課題】凹凸がない平坦な構造を有すると共に，疲労による断線が発生せず，かつ使用の際に捻れが発生することのない金属製フィルムヒータを提供する。【解決手段】電源線を介して電源と連結され，前記電源から供給された電流により熱を発生する金属製フィルムと，前記金属製フィルムの全体を覆う絶縁防水フィルムと，前記絶縁防水フィルムの全体を覆う不織布と，前記不織布の全体を覆う外装材と，前記電源から供給される電流を制御する制御部と，を有する。【選択図】　　図１
2004079492.tif 000002
【特許請求の範囲】
【請求項１】
電源線を介して電源と連結され，前記電源から供給された電流により熱を発生する金属製フィルムと，
前記金属製フィルムの全体を覆う絶縁防水フィルムと，
前記絶縁防水フィルムの全体を覆う不織布と，
前記不織布の全体を覆う外装材と，
前記電源から供給される電流を制御する制御部と，を有する，
ことを特徴とする金属製フィルムヒータ。
【請求項２】
前記絶縁防水フィルムの内面には，電気石コーティング膜が形成されている，
ことを特徴とする請求項１に記載の金属製フィルムヒータ。
【請求項３】
前記制御部は，
前記絶縁防水フィルムの内部に設置された温度センサーが感知した温度信号により，前記電源から前記金属製フィルムに供給される電流を制御するコントロールパネルからなる，
ことを特徴とする請求項１に記載の金属製フィルムヒータ。
【発明の詳細な説明】
【０００１】
【発明の属する技術分野】
本発明は，金属製フィルムヒータに関し，さらに詳細には，電気座布団の内部に挿入される金属製フィルムヒータに関する。
【０００２】
【従来の技術】
一般に，電気座布団は，伸縮性素材（例えば織物及びビニルなど）の座布団内部にニクロム線が挿入されている。かかるニクロム線に電流を流すことにより抵抗熱が発生し，座布団の温度が高められる。
【０００３】
【発明が解決しようとする課題】
しかしながら，上記従来の電気座布団は，ニクロム線自体の凹凸により座り心地が良くない，という問題がある。また，ニクロム線が挿入された電気座布団は，ニクロム線が座屈荷重を繰り返し受けるので，金属疲労により断線する（即ち，寿命が短くなる），という問題がある。さらに，ニクロム線が挿入された電気座布団を使用する場合には，ニクロム線の捻りによる短絡が発生し，火災発生の原因ともなる。
【０００４】
したがって，本発明の目的は，凹凸がない平坦な構造を有すると共に，疲労による断線が発生せず，かつ使用の際に捻れが発生することのない新規かつ改良された金属製フィルムヒータを提供することにある。
【０００５】
【課題を解決するための手段】
上記課題を解決するため，本発明の第１の観点においては，電源線を介して電源と連結され，前記電源から供給された電流により熱を発生する金属製フィルムと，前記金属製フィルムの全体を覆う絶縁防水フィルムと，前記絶縁防水フィルムの全体を覆う不織布と，前記不織布の全体を覆う外装材と，前記電源から供給される電流を制御する制御部と，を有する，ことを特徴とする金属製フィルムヒータが提供される。
【０００６】
上記記載の発明では，金属製フィルムヒータはニクロム線に代えて金属製フィルムが使用されるので座布団の座り心地が向上する。また，金属製フィルムは座屈荷重を受けないので金属疲労により切断することなく，寿命が増大する。また，金属フィルムはプレート形状であり，短絡することがないので，火災の発生を未然に防止することができる。
【０００７】
また，前記絶縁防水フィルムの内面には，電気石コーティング膜が形成されている，如く構成すれば，電気石コーティング膜から発生した陰イオンが使用するユーザの人体の新陳代謝を活発化させて，免疫性を高めることができる。
【０００８】
また，前記制御部は，前記絶縁防水フィルムの内部に設置された温度センサーが感知した温度信号により，前記電源から前記金属製フィルムに供給される電流を制御するコントロールパネルからなる，如く構成することができる。
【０００９】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１０】
（第１の実施の形態）
まず，図１に基づいて，本実施形態にかかる金属製フィルムヒータの構成を説明する。なお，図１は，本実施形態にかかる金属製フィルムヒータの概略構成を示す上面図である。図２は，本実施形態にかかる金属製フィルムヒータの電源線の通過部の概略構成を示す断面図である。図３は，本実施形態にかかる金属製フィルムヒータの感知線の通過部の概略構成を示す断面図である。
【００１１】
まず，本実施形態にかかる金属製フィルムヒータは，図１に示すように，熱を発生させる金属製フィルム（１０）と，金属製フィルム（１０）を絶縁する絶縁防水フィルム（１２）と，絶縁防水フィルム（１２）を保護する不織布（１６），座り心地を向上させる外装材（１８），及び電源線（２０）に印加される電源を制御する制御部（５０）と，から構成される。
【００１２】
金属製フィルム（１０）は，エッチングによりパターン形成された黄銅板フィルムであるが，耐食性の強いステンレス鋼やアルミニウムなどの他の材料（特に金属材料）を使用することもできる。かかる金属製フィルム（１０）は，両端に電圧を印加することにより電流が流れて抵抗熱を発生し，温度が上昇する。なお，かかる金属製フィルム（１０）の厚さは，可撓性を与えるために，例えば０．０５ｍｍ程度が好ましい。
【００１３】
絶縁防水フィルム（１２）は，金属製フィルム（１０）を外部から覆うフィルムであって，例えばＰＥＴ（ｐｏｌｙｅｓｔｅｒ　ｓｔａｐｌｅ　ｆｉｂｅｒ）などのプラスチック材質により形成されるのが好ましい。なお，かかる絶縁防水フィルム（１２）の厚さは，例えば５０μｍ程度が好ましい。
【００１４】
また，絶縁防水フィルム（１２）の内部には，電気石コーティング膜（１４）が形成されるのが好ましい。電気石（Ｔｏｕｒｍａｌｉｎｅ）とは，陰イオンを発生させる物質であり，発生した陰イオンがユーザの細胞膜に作用して細胞内のイオン交換が活性化されて新陳代謝が活発になる。また，陰イオンは，ユーザの自律神経系の作用を安定させて免疫力を増強させる効果がある。
【００１５】
不織布（１６）は，絶縁防水フィルム（１２）を外部から覆って保護する。なお，かかる不織布（１６）の厚さは，絶縁防水フィルム（１２）を保護するために，例えば２ｍｍ程度が好ましい。
【００１６】
外装材（１８）は，不織布（１６）を外部から覆って保護し，ユーザの座り心地を向上させる。かかる外装材（１８）としては，例えばクッションのある布及び皮革などが使用できる。
【００１７】
また，制御部（５０）は，絶縁防水フィルム（１２）の内部に設置される温度センサー（２６）が感知した信号によって金属製フィルム（１０）に電源から供給される電流を制御する。かかる制御部は，コントロ−ルパネル（５０）として図示されている。
【００１８】
一方，電源線（２０）は，コントロ−ルパネル（５０）と金属製パネルとの間に連結されており，金属製パネル（５０）に電流を供給する。電源線（２０）の先端は，金属製フィルム（１０）の先端の熔接部（２２）でスポット熔接（Ｓｐｏｔ　ｗｅｌｄｉｎｇ）されている。
【００１９】
また，センサー感知線（２８）は，温度センサー（２６）とコントロ−ルパネル（５０）との間に連結されており，センサ−感知線（２８）を保護するため金属製パネル（１０）間に連結プレ−ト（３０）が設けられている。
【００２０】
このコントロールパネル（５０）は，ユーザが着席すると，座り心地の良い温度（例えば４０℃〜５０℃の間）になるよう制御するのが好ましい。
【００２１】
以下，本実施形態にかかる金属製フィルムヒータの作動について，以下に説明する。
【００２２】
まず，電源線（２０）を介して金属製フィルム（１０）に電流を流すと抵抗熱が発生して温度が上昇する。抵抗熱が発生すると同時に，電気石コーティング膜（１４）から陰イオンが発生して人体の新陳代謝を活性化するように作用し，免疫力を増強させる。このとき，温度センサー（２６）が感知した温度は，センサー感知線（２８）を介してコントロールパネル（５０）に伝送される。
【００２３】
一方，コントロ−ルパネル（５０）に伝送された温度信号は，例えば５０℃の温度でコントロールパネル（５０）により金属製フィルム（１０）に流される電流が遮断される。
【００２４】
電源が遮断された後，温度センサー（２６）が感知した温度信号が例えば４０℃以下になると，再度，電源線（２０）に電流を流して金属製フィルム（１０）に抵抗熱が発生される。
【００２５】
したがって，金属製フィルムヒータは，コントロールパネル（５０）により，例えば４０℃〜５０℃の温度に維持される。
【００２６】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【００２７】
【発明の効果】
金属製フィルムヒータはニクロム線に代えて金属製フィルムが使用されるので座布団の座り心地が向上する。また，金属製フィルムは座屈荷重を受けないので金属疲労により切断することなく，寿命が増大する。また，金属フィルムはプレート形状であり，短絡することがないので，火災の発生を未然に防止することができる。
【図面の簡単な説明】
【図１】第１の実施の形態にかかる金属製フィルムヒータの概略構成を示す上面図である。
【図２】第１の実施の形態にかかる金属製フィルムヒータの電源線の通過部の概略構成を示す断面図である。
【図３】第１の実施の形態にかかる金属製フィルムヒータの感知線の通過部の概略構成を示す断面図である。
【符号の説明】
１０　金属製フィルム
１２　絶縁防水フィルム
１４　電気石コーティング膜
１６　不織布
１８　外装材
２０　電源線
２２　熔接部
２６　温度センサー
２８　センサ−感知線
３０　連結プレート
５０　コントロ−ルパネル
【図１】
2004079492.tif 000003
【図２】
2004079492.tif 000004
【図３】
2004079492.tif 000005